(57)【要約】【課題】使い勝手のよいリモートコントローラを提供する。【解決手段】操作対象機器に対する操作を受け付ける操作部１と、操作対象機器に接続されるケーブル２と操作部１との接続部分を保護するためのブッシュ３と、入出力装置に接続されるケーブルのプラグを操作部１に接続するためのジャック４と、クリップ５とを有する。操作部１は、平坦な背面１１１と、外周部分が背面１１１から突出するように設けられた半円柱部１２とを有する。ブッシュ３は半円柱部１２の一方の端面１２３に設けられ、ジャック４は半円柱部１２の他方の端面１２４に設けられる。クリップ４は、半円柱部１４に支点が設けられた板状部材５２を有し、板状部材５２の先端部と背面１１１および当該先端部の当接部分とによって挟持部が形成されている。【選択図】図１
2006086937.tif 000002
【特許請求の範囲】
【請求項１】
操作対象機器に対する操作を受け付ける操作部と、
入出力装置に接続されるケーブルのプラグを前記操作部に接続するためのジャックと、
クリップと、を有し、
前記操作部は、平坦な背面と、外周部分が前記背面から突出するように設けられた半円柱部と、を有し、
前記ジャックは、前記半円柱部の一方の端面に設けられ、
前記クリップは、前記半円柱部に支点が設けられた板状部材を有し、当該板状部材の先端部と前記背面および前記先端部の当接部分とによって挟持部が形成されいること
を特徴とするリモートコントローラ。
【請求項２】
請求項１に記載のリモートコントローラであって、
前記背面は円形状であり、
前記半円柱部は、前記背面の中心からずれた位置に設けられていること
を特徴とするリモートコントローラ。
【請求項３】
請求項１または２に記載のリモートコントローラであって、
前記操作対象機器に接続されるケーブルと前記操作部との接続部分を保護するためのブッシュをさらに有し、
前記ブッシュは、前記半円柱部の他方の端面に設けられていること
を特徴とするリモートコントローラ。
【請求項４】
操作対象機器に対する操作を受け付ける操作部と、
操作対象機器に接続するためのプラグを有するケーブルと、
前記ケーブルと前記操作部との接続部分を保護するためのブッシュと、
前記プラグの先端部が断面から突出するように前記プラグを覆う半円板部、および、前記半円板部の頂部に設けられた、当該頂部から引き出された前記ケーブルの一部を覆う、表面が平坦な円柱部を備えたゴム部材と、を有することを
を特徴とするリモートコントローラ。
【請求項５】
操作対象機器に対する操作を受け付ける操作部と、
入出力装置に接続されるケーブルのプラグを前記操作部に接続するためのジャックと、
前記ジャックに接続された前記入出力装置に接続されるケーブルのプラグの電気特性を測定する測定手段と、
前記測定手段での測定結果に基づいて前記入出力装置が所定の装置である否かを判定手段と、
前記判定手段の判定結果を前記操作対象機器に出力する出力手段と、を有すること
を特徴とするリモートコントローラ。
【請求項６】
請求項５に記載のリモートコントローラであって、
前記操作対象機器に接続されるケーブルと前記操作部との接続部分を保護するためのブッシュをさらに有し、
前記出力手段は、前記判定手段の判定結果を前記ブッシュで接続部分が保護されたケーブルを介して前記操作対象機器に出力すること
を特徴とするリモートコントローラ。
【発明の詳細な説明】
【技術分野】
【０００１】
本発明は、携帯端末に好適なリモートコントローラに関する。
【背景技術】
【０００２】
携帯端末のリモートコントローラには、例えば特許文献１記載のものがある。
【０００３】
【特許文献１】特開平５-９１５８４号公報
【発明の開示】
【発明が解決しようとする課題】
【０００４】
しかしながら、従来の携帯端末のリモートコントローラは、小型化、携帯性、操作性に関して十分な配慮が足りなかった。本発明は上記事情に鑑みてなされたものであり、本発明の目的は、使い勝手のよいリモートコントローラを提供することにある。
【課題を解決するための手段】
【０００５】
上記課題を解決するために、本発明の第１の態様のリモートコントローラは、操作対象機器に対する操作を受け付ける操作部と、入出力装置に接続されるケーブルのプラグを前記操作部に接続するためのジャックと、クリップと、を有し、
前記操作部は、平坦な背面と、外周部分が前記背面から突出するように設けられた半円柱部と、を有し、
前記ジャックは、前記半円柱部の一方の端面に設けられ、
前記クリップは、前記半円柱部に支点が設けられた板状部材を有し、当該板状部材の先端部と前記背面および前記先端部の当接部分とによって挟持部が形成されている。
【０００６】
また、本発明の第２の態様のリモートコントローラは、操作対象機器に対する操作を受け付ける操作部と、操作対象機器に接続するためのプラグを有するケーブルと、前記ケーブルと前記操作部との接続部分を保護するためのブッシュと、前記プラグの先端部が断面から突出するように前記プラグを覆う半円板部、および、前記半円板部の頂部に設けられた、当該頂部から引き出された前記ケーブルの一部を覆う、表面が平坦な円柱部を備えたゴム部材と、を有する。
【０００７】
また、本発明の第３の態様のリモートコントローラは、操作対象機器に対する操作を受け付ける操作部と、入出力装置に接続されるケーブルのプラグを前記操作部に接続するためのジャックと、前記ジャックに接続された前記入出力装置に接続されるケーブルのプラグの電気特性を測定する測定手段と、前記測定手段での測定結果に基づいて前記入出力装置が所定の装置である否かを判定手段と、前記判定手段の判定結果を前記操作対象機器に出力する出力手段と、を有する。
【発明の効果】
【０００８】
本発明によれば、使い勝手のよいリモートコントローラを提供できる。
【発明を実施するための最良の形態】
【０００９】
以下に、本発明の実施の形態を説明する。
【００１０】
図１は本発明の一実施形態が適用されたリモートコントローラの概観図であり、図１（Ａ）は正面図、図１（Ｂ）上面図、図１（Ｃ）は底面図、図１（Ｄ）は左側面図、図１（Ｅ）は右側面図、そして、図１（Ｆ）は背面図である。図２は図１に示すリモートコントローラのＡ-Ａ断面図である。
【００１１】
図１および図２に示すように、本実施形態のリモートコントローラは、携帯端末などの操作対象機器に対する操作を受け付ける操作部１と、操作対象機器に接続するためのケーブル２と、操作部１とケーブル２との接続部分を保護するためのブッシュ３と、ヘッドフォンあるいはヘッドセット（マイク付きヘッドフォン）といった入出力装置に接続されるケーブルのプラグを接続するためのジャック４と、リモートコントローラを例えばユーザの服に取り付けるためのクリップ５と、を有する。
【００１２】
操作部２は、円板状の筐体１１と、半円柱部１２と、ボタン１３と、多機能ボタン１４と、を有する。
【００１３】
半円柱部１２は、外周部分１２１が筐体１１の平坦な背面１１１から突出するように形成されている。また、半円柱部１２は、軸１２２が円板状の筐体１１の中心１１３からずれた位置に形成されている。さらに、半円柱部１２は、半円柱部１２の一方の端面１２３にブッシュ３を設け、他方の端面１２４にジャック４を設けている。
【００１４】
クリップ５は、半円柱部１２に支点５１が設けられた板状部材５２を有する。板状部材５２の先端部には、第１凹凸部５３が形成されている。また、第１凹凸部５３と当接する筐体１１の背面１１１の部分には、第２凹凸部１１４が形成されている。板状部材５２は、図示していないバネ等の付勢部材により第１凹凸部５３が第２凹凸部１１４と当接する方向に付勢されている。そして、板状部材５２の第１凹凸部５３が形成されている先端側と反対側の端部が押圧されると、第１凹凸部５３と第２凹凸部１１４とが離れる。これにより、クリップ５の挟持部分を形成している。
【００１５】
ボタン１３は、円板状の筐体１１の中心に配置された円板状部材であり、ボタン１３の下部に突起部１３１が形成され、突起部１３１の下側にスイッチ１３２が配置されている。ボタン１３が押下されると、突起部１３１がスイッチ１３２と当接して当該スイッチ１３２がオンになり、当該スイッチ１３２に割り当てられた機能に応じた信号がケーブル２を介して操作対象機器に出力される。本実施形態において、ボタン１３は、コンテンツの再生および停止のいずれかを指示するプレイヤボタンである。コンテンツの再生停止中にスイッチ１３２がオンになれば再生指示となり、再生中にスイッチ１３２がオンになれば再生停止指示となる。
【００１６】
多機能ボタン１４は、中心部分にボタン１３を配置するための開口部が設けられたドーナツ状部材であり、多機能ボタン１４の下部に複数の突起部１４１が形成され、各突起部１４１の下側にスイッチ１４２が配置されている。多機能ボタン１４の外周部には、多機能ボタン１４が筐体１１から外れないようにするための当接部１４３が形成されている。また、多機能ボタン１４の内周部には、ボタン１３が多機能ボタン１４から外れないようにするための当接部１４４が形成されている。
【００１７】
多機能ボタン１４が押下されると、押下位置および多機能ボタン１４の中心を結ぶ線と交差する多機能ボタン１４の外周位置であって、多機能ボタン１４の中心に対して押下位置とは反対側の外周位置にある当接部１４２が支点となり、当該線と交差する多機能ボタン１４の外周位置であって、多機能ボタン１４の中心に対して押下位置と同じ側の外周位置を最も低く押し下げる。その結果、押下位置に最も近接する突起部１４１がスイッチ１４２と最初に当接して当該スイッチ１４２がオンになり、当該スイッチ１４２に割り当てられた機能に応じた信号がケーブル２を介して操作対象機器に出力される。本実施形態において、多機能ボタン１４は、コンテンツの早送り、巻き戻し、音量アップおよび音量ダウンのいずれかを指示するセンターボタンである。
【００１８】
なお、図２に示すように、ボタン１３および多機能ボタン１４と、スイッチ１３２、１４２との間に、突起部１３１、１４１をスイッチ１３２、１４２に当接するための開口部が設けられた、筐体１１に固定された板状部材１５を配置し、この板状部材１５とボタン１３および多機能ボタン１４との間に付勢部材１５１を少なくとも３つ配置するようにしてもよい。このようにすることで、ボタン１３および多機能ボタン１４が押下状態から解放された後の位置を、所定の位置に戻すことができる。付勢部材１５１としては、板バネ、弾性シート、スプリング等が挙げられる。
【００１９】
また、多機能ボタン１４は、中心に向けてすり鉢状に傾斜していて、ガイド面を形成している。このため、操作に際して親指等の位置を固定することができる（ホームポジション）。したがって、多機能ボタン１４を見ることなく服につけたままで、各種機能の指示を操作できる（ブラインド操作）。
【００２０】
また、図１に示すように、筐体１１の側面に、ボタン１３および多機能ボタン１４に対する操作に関わらず、スイッチ１３２、１４２を常にオフ状態とするホールドスイッチ１６を設けるようにしてもよい。
【００２１】
ケーブル２は、上述したように、操作部１との接続部分がブッシュ３で保護されている。図３はリモートコントローラを操作対象機器に接続するケーブル２の概観図であり、図３（Ａ）は正面図、図３（Ｂ）は底面図である。
【００２２】
図示するように、ケーブル２は、ケーブル２を操作対象機器のジャックに接続するための少なくとも１つのプラグ２１と、プラグ２１およびケーブル２の接続部分を保護するゴム部材２２と、を有する。ゴム部材２２は、プラグ２１の先端部が断面から突出するようにプラグ２１を覆う半円板部２２１と、半円板部２２１の頂部に設けられた、当該頂部から引き出されたケーブル２の一部を覆う円柱部２２２と、を有する。円柱部２２２は表面が平坦である。このため、円柱部２２２を蛇腹状に形成する場合に比べて、操作対象機器を手に持って使用する際に、手に触る凸凹の感触がなく操作性が向上する。また、蛇腹状にした場合と同様の自由度を確保できるように、ゴム部材２２には、ゴム硬度が６０度〜７０度程度のエラストマーを利用している。
【００２３】
図４は本発明の一実施形態が適用されたリモートコントローラの機能構成図である。
【００２４】
図示するように、リモートコントローラは、コントロール信号出力部６１と、電気特性測定部６２と、入出力装置判断部６３と、入出力信号中継部６４と、を有する。
【００２５】
電気特性測定部６２は、入出力装置の電気特性を調べる。本実施形態では、ジャック４として、複数の電極を備えたジャック（例えば４極ジャック）を用いている。電気特性測定部６２は、ジャック４の各電極の電圧、電流あるいはインピーダンスを調べることで、ジャック４に装着されたプラグを持つ入出力装置の電気特性を測定する。
【００２６】
入出力装置判断部６３は、電気特性測定部６２の測定結果に基づいて、リモートコントローラに接続された入出力装置が所定の装置であるか否かを判断する。例えば、ジャック４の各電極の電気特性値が所定の値を有する場合に、リモートコントローラに接続された入出力装置が、操作対象機器のメーカが推奨するヘッドセットであると判断する。
【００２７】
コントロール信号出力部６１は、リモートコントローラに設けられた各スイッチのオンオフを検出し、検出信号をケーブル２の制御信号線に出力する。また、入出力装置判断部６３の判断結果をケーブル２の制御信号線に出力する。
【００２８】
入出力信号中継部６４は、操作対象機器と入出力装置との間の入出力信号のやり取りを中継する。具体的には、ケーブル２の出力信号線を介して操作対象機器から送られてきたスピーカ信号等を、ジャック４の出力電極を介して入出力装置に出力する。また、ジャック４の入力電極を介して入出力装置から送られてきたマイクロフォン信号等を、ケーブル２の入力信号線を介して操作対象機器へ出力する。
【００２９】
以上、本発明の一実施形態を説明した。
【００３０】
本実施形態では、ブッシュ３およびジャック４を操作部１の筐体１１に設けるための半円柱部１２と、操作部１の背面１１１とを利用して、クリップ５を形成している。このため、リモートコントローラを小型にでき、したがって、使い勝手のよいリモートコントローラを提供できる。
【００３１】
また、本実施形態では、多機能ボタン１４が押下された場合の支点が、押下位置および多機能ボタン１４の中心を結ぶ線と交差する多機能ボタン１４の外周位置であって、多機能ボタン１４の中心に対して押下位置とは反対側の外周位置となるようにしている。このようにすることで、多機能ボタン１４の中心を開口して、別のボタン１３を配置することができ、ボタンの配置密度を上げることができる。このため、リモートコントローラを小型にでき、したがって、使い勝手のよいリモートコントローラを提供できる。
【００３２】
また、本実施形態では、操作対象機器に接続するためのケーブル２のプラグ２１を覆うゴム部材２２の形状を、頂部にケーブル２の一部を覆うための円柱部２２２が設けられた半円板形状２２１としている。このため、図５に示すように、ケーブル２を操作対象機器７に接続した場合に、接続部分の凹凸が気にならなくなる。したがって、リモートコントローラを接続した場合における操作対象機器の携帯性が向上し、使い勝手のよいリモートコントローラを提供できる。
【００３３】
また、本実施形態では、ジャック４に接続されたプラグの電気特性に基づいて入出力装置が所定の装置である否かを調べ、その結果を操作対象機器に出力する。このため、ユーザは、所定の装置をリモートコントローラに接続したことを操作対象機器に通知する必要がないので、操作性が向上する。したがって、使い勝手のよいリモートコントローラを提供できる。操作対象機器は、所定の装置が装着された場合にのみ、所定操作（例えば音声入力）を受け付けるように入出力装置の使用を制限することができる。
【００３４】
なお、本発明は上記の実施形態に限定されるものではなく、その要旨の範囲内で数々の変形が可能である。例えば、上記の実施形態では、筐体１１の中心にボタン１３を配置しているが、本発明はこれに限定されない。図６に示すように、ボタン１３を省略し、ドーナツ形状の多機能ボタン１４に代えて円形状の多機能ボタン１７を配置するようにしてもよい。この場合、多機能ボタン１７を、多機能ボタン１７が押下された場合にその中心が支点となって動くように構成してもよい。図６において、多機能ボタン１７は、コンテンツの早送り、巻き戻し、および、再生・停止のいずれかを指示するセンターボタンであり、音量アップおよび音量ダウンの指示は、筐体１１の外周部に設けられたボタン１８、１９で受け付けるようにしている。
【００３５】
また、上記の実施形態では、リモートコントローラおよび操作対象機器間をケーブル接続しているが、本発明はこれに限定されない。リモートコントローラおよび操作対象機器間を無線通信により接続するようにしてもよい。この場合、ブッシュ３は不要である。
【００３６】
また、上記の実施形態では操作部１の形状を円板状とし、これに合せてボタン１３および多機能ボタン１４の形状も円板形状としているが、本発明はこれに限定されない。
【図面の簡単な説明】
【００３７】
【図１】図１は本発明の一実施形態が適用されたリモートコントローラの概観図であり、図１（Ａ）は正面図、図１（Ｂ）は上面図、図１（Ｃ）は底面図、図１（Ｄ）は左側面図、図１（Ｅ）は右側面図、そして、図１（Ｆ）は背面図である。
【図２】図２は図１に示すリモートコントローラのＡ-Ａ断面図である。
【図３】図３はリモートコントローラを操作対象機器に接続するケーブル２の概観図であり、図３（Ａ）は正面図、図３（Ｂ）は底面図である。
【図４】図４は本発明の一実施形態が適用されたリモートコントローラの機能構成図である。
【図５】図５はケーブル２を操作対象機器に接続した様子を示す図である。
【図６】図６は本発明の一実施形態が適用されたリモートコントローラの変形例の概観図であり、図６（Ａ）は正面図、図６（Ｂ）は上面図、図６（Ｃ）は底面図、図６（Ｄ）は左側面図、図６（Ｅ）は右側面図、そして、図６（Ｆ）は背面図である。
【符号の説明】
【００３８】
１：操作部、２：ケーブル、３：ブッシュ、４：ジャック、５：クリップ、１１：筐体、１２：半円柱部、１３：ボタン、１４：多機能ボタン、５１：板状部材、６１：コントロール信号出力部、６２：電気特性測定部、６３：入出力装置判断部、６３：入出力信号中継部６４
【図１】
2006086937.tif 000003
【図２】
2006086937.tif 000004
【図３】
2006086937.tif 000005
【図４】
2006086937.tif 000006
【図５】
2006086937.tif 000007
【図６】
2006086937.tif 000008